(57)【要約】【課題】マルチプロジェクションシステムにおいてプロジェクタの表示異常による表示画像の欠落をなくし高品質な表示画像を維持する。【解決手段】Ｍ台（例えばＭ＝２）のプロジェクタＰＪ１，ＰＪ２に割り当てられた部分画像を表示することにより、部分画像の集合としての画像の表示を可能とするマルチプロジェクションシステムであって、前記画像のうちのいずれの領域においても２台以上のプロジェクタが表示を行うように、それぞれに割り当てられた部分画像を表示するＮ台（例えばＮ＝３）のプロジェクタＰＪ３〜ＰＪ５をさらに配置し、プロジェクタＰＪ１〜ＰＪ５のうちの少なくとも１台のプロジェクタに表示異常が発生すると、表示異常が発生したプロジェクタが表示する部分画像の領域と少なくとも一部の同じ領域を表示するプロジェクタに割り当てられた部分画像に対応する画像データを、表示異常に対応する表示パラメータを用いて画像表示処理する。【選択図】図５
2007334181.tif 000002
【特許請求の範囲】
【請求項１】
Ｍ台（Ｍは２以上の整数）のプロジェクタがそれぞれに割り当てられた部分画像を表示することによって前記部分画像の集合としての画像の表示を可能とするマルチプロジェクションシステムであって、
前記マルチプロジェクションシステムは、
前記画像のうちのいずれの領域においても２台以上のプロジェクタが表示を行うように、それぞれに割り当てられた部分画像を表示するＮ台（Ｎは１以上の整数）のプロジェクタをさらに配置し、
前記Ｍ台又はＮ台のプロジェクタのうちの少なくとも１台のプロジェクタに表示異常が発生すると、前記表示異常が発生したプロジェクタが表示する部分画像の領域と少なくとも一部の同じ領域を表示するプロジェクタに割り当てられた部分画像に対応する画像データを、前記表示異常に対応する表示パラメータを用いて画像表示処理する画像表示処理部を有することを特徴とするマルチプロジェクションシステム。
【請求項２】
請求項１に記載のマルチプロジェクションシステムにおいて、
前記画像表示処理部は、
前記表示異常であることを示す表示異常信号を受信する表示異常信号受信部と、
前記表示異常信号受信部で受信した表示異常信号に対応した表示パラメータを選択する表示パラメータ選択部と、
をさらに有することを特徴とするマルチプロジェクションシステム。
【請求項３】
請求項１または２に記載のマルチプロジェクションシステムにおいて、
前記画像表示処理部は、前記表示異常に対応する表示パラメータを記憶する表示パラメータ記憶部をさらに有することを特徴とするマルチプロジェクションシステム。
【請求項４】
請求項１〜３のいずれかに記載のマルチプロジェクションシステムにおいて、
前記画像表示処理部は、表示異常を検出する表示異常検出部をさらに有し、前記表示異常検出部が、あるプロジェクタに表示異常が発生したことを検出すると、前記表示異常が発生したプロジェクタが表示する部分画像の領域と少なくとも一部の同じ領域を表示するプロジェクタに前記表示異常であることを示す表示異常信号を送信することを特徴とするマルチプロジェクションシステム。
【請求項５】
請求項１〜３のいずれかに記載のマルチプロジェクションシステムにおいて、
前記スクリーン上に表示される画像を監視可能な表示画像監視部を有し、前記表示画像監視部が、あるプロジェクタに表示異常が発生したことを検出すると、前記表示異常が発生したプロジェクタ及び前記表示異常が発生したプロジェクタが表示する部分画像の領域と少なくとも一部の同じ領域を表示するプロジェクタに、前記表示異常であることを示す表示異常信号を送信することを特徴とするマルチプロジェクションシステム。
【請求項６】
請求項１〜５のいずれかに記載のマルチプロジェクションシステムにおいて、
前記表示異常は、プロジェクタが表示不能となった状態、プロジェクタの表示が不安定となった状態及びプロジェクタによって表示された部分画像に部分的な欠落が生じた状態の少なくともいずれかの状態を含み、
前記表示が不安定となった状態及び表示された部分画像に部分的な欠落が生じた状態となった場合は、当該プロジェクタは自身の表示動作を停止することを特徴とするマルチプロジェクションシステム。
【請求項７】
請求項１〜６のいずれかに記載のマルチプロジェクションシステムにおいて、
前記表示パラメータは、隣接する投射画像間の境界を目立たなくするための輝度の重み
付けパラメータと、各プロジェクタが有する輝度及び色の特性の違いを補正するためのパラメータの少なくともいずれかのパラメータを含むことを特徴とするマルチプロジェクションシステム。
【請求項８】
Ｍ台（Ｍは２以上の整数）のプロジェクタがそれぞれに割り当てられた部分画像を表示することによって前記部分画像の集合としての画像の表示を可能とするマルチプロジェクションシステムにおける画像表示方法であって、
前記画像のうちのいずれの領域においても２台以上のプロジェクタが表示を行うように、それぞれに割り当てられた部分画像を表示するＮ台（Ｎは１以上の整数）のプロジェクタをさらに配置し、
前記Ｍ台又はＮ台のプロジェクタのうちの少なくとも１台のプロジェクタに表示異常が発生すると、前記表示異常が発生したプロジェクタが表示する部分画像の領域と少なくとも一部の同じ領域を表示するプロジェクタに割り当てられた部分画像に対応する画像データを、前記表示異常に対応する表示パラメータを用いて画像表示処理することを特徴とするマルチプロジェクションシステムにおける画像表示方法。
【請求項９】
Ｍ台（Ｍは２以上の整数）のプロジェクタがそれぞれに割り当てられた部分画像を表示することによって前記部分画像の集合としての画像の表示を可能とし、かつ、前記画像のうちのいずれの領域においても２台以上のプロジェクタが表示を行うように、それぞれに割り当てられた部分画像を表示するＮ台（Ｎは１以上の整数）のプロジェクタをさらに配置したマルチプロジェクションシステムに用いるためのプロジェクタであって、自身に割り当てられた部分画像の領域と少なくとも一部の同じ領域を表示するプロジェクタに表示異常が発生すると、前記表示異常に対応する表示パラメータによって画像処理された前記自身に割り当てられた部分画像に対応する画像データに基づいて、前記自身に割り当てられた部分画像を表示することを特徴とするプロジェクタ。
【発明の詳細な説明】
【技術分野】
【０００１】
本発明は、マルチプロジェクションシステム、マルチプロジェクションシステムにおける画像表示方法及びマルチプロジェクションシステムに用いるためのプロジェクタに関する。
【背景技術】
【０００２】
画像表示装置において、大画面化、高輝度化、高解像度化は、常に要求される特性である。しかし、単体の画像表示装置において、これらを同時に実現することは非常に困難である。例えば、大画面化は、その画像表示装置を構成する部品の大きさ、製造装置の大きさなどにより限界がある。また、高輝度化は、表示素子の表示原理による限界があり、また寿命、信頼性を劣化させる可能性がある。また、高解像度化は、より高度な微細加工を必要とし、表示素子製造の歩留まりを非常に劣化させる可能性がある。
【０００３】
単体の表示装置では困難であるような大画面化、高輝度化、高解像度化を実現する方法として、複数の画像表示装置を組み合わせて全体として一つの画像を表示する技術は非常に有効な方法である。特に、個々の画像表示装置としてプロジェクタを用いる画像表示方法は、個々のプロジェクタの表示する画像の一部を重ね合わせることにより、表示装置間の境界を見え難くし、高品質の画像を表示することのできる画像表示方法として優れている。
【０００４】
しかし、この方法においては、複数の表示装置を用いているがために故障の確率が高くなる。単純に言えば、Ｎ台（Ｎは２以上）のプロジェクタを用いる場合、故障の起きる確率は単体に比べＮ倍になってしまう。仮に、故障がＮ台のプロジェクタのうち１台のみであったとしても、それにより表示画像の一部が欠落することになってしまう。これは表示品質としては大きな劣化であり、また、場合によっては致命的な劣化となってしまう。つまり、複数のプロジェクタを用いて一つの画像を表示する画像表示方法は、全体を一つの表示装置としてみれば、単体の表示装置を用いた画像表示方法に比べて、Ｎ倍の故障確率を有する非常に信頼性の低い表示方法となってしまうと言う問題がある。
【０００５】
このような問題を解決するための技術は様々な提案がなされている（例えば、特許文献１、特許文献２参照）。
【０００６】
特許文献１に開示された技術は、通常の投射型表示装置（プロジェクタ）の構成に加えて、投射方向切替部を有するものである。これは、表示画像全体を複数の表示領域（、Ｍ個の表示領域）に分割し、投射方向切替部により、Ｍ個の表示領域（Ｍ１，Ｍ２，・・・とする）を、表示領域Ｍ１，Ｍ２，・・・というように順次切り替えながら表示していくものである。それにより、時分割で画像全体を表示することが可能となる。
【０００７】
図１６は時分割で画像表示を行う例を説明する図である。ある瞬間には、図１６（ａ）に示すように、プロジェクタＰＪ１が領域Ｇ１を表示し、プロジェクタＰＪ２が領域Ｇ３を表示し、プロジェクタＰＪ３が領域Ｇ４を表示する。また、別の瞬間には、図１６（ｂ）に示すように、プロジェクタＰＪ１が領域Ｇ３を表示し、プロジェクタＰＪ２が領域Ｇ４を表示し、プロジェクタＰＪ３が領域Ｇ２を表示する。
【０００８】
この方法によれば、投射角を大きくすることにより、また画像分割数Ｍを増やすことにより、大画面、高解像度の表示を行うことが可能となる。ただし、平均輝度については、表示領域の切替え時間が必要であるために、画像全体を同時に表示した場合よりも暗くな
ってしまうという問題がある。
【０００９】
このような問題を改善するために、特許文献１に開示された技術には、上記した投射方向切替部を有するプロジェクタを複数台、例えば、Ｎ台（ここでＮ≦Ｍ）を用いて表示を行う方法が示されている。
【００１０】
つまり、ある瞬間にはＭ個の領域のうちのＮ個の領域をＮ台の表示装置で表示し、それを時分割で切替えることにより、表示画像の全体を時分割で表示するものである。これにより、平均輝度は１台で表示を行う場合のＮ倍となり、大画面、高輝度、高解像度の画像表示を行うことが可能となる。このような表示方法においては、仮にＮ台の内の１台が表示不能になったとしても、表示そのものは残りの（Ｎ−１）台により継続して行われる。つまり、この場合は明るさが１／Ｎだけ暗くなるだけであり、表示の一部が欠けると言うような表示の劣化は起こらないことになる。
【００１１】
一方、特許文献２に開示された技術には、その実施形態１として、複数の光源と光源選択部と光源ミキシング部とを有する単体のプロジェクタによって１つの投影ユニットを構成して、その投影ユニットを複数用いてマルチプロジェクションシステムを構成することが示されている。これによれば、光源の一つが故障しても、残りの光源により表示を維持することが可能となる。通常のプロジェクタにおいては、光源部の故障が表示不能の最大の原因であるので、表示不能の確率を大きく下げることが可能となる。
【００１２】
また、特許文献２に開示された技術には、その実施形態２として、１つの光源を有する複数台のプロジェクタをスタックした状態で配置し、その複数台のプロジェクタを一組として１つの投影ユニットを構成して、その投影ユニットを複数用いてマルチプロジェクションシステムを構成することが示されている。これによれば、それぞれの投影ユニットにおいて１つのプロジェクタの光源に不具合が発生しても、他のプロジェクタがそれを補うことができるので、実質的に実施形態１と同等の効果を得ることができる。
【００１３】
【特許文献１】特開２００４−３５６９１９号公報
【特許文献２】特開２００５−２０４１６５号公報
【発明の開示】
【発明が解決しようとする課題】
【００１４】
しかしながら、上記の特許文献１及び特許文献２に開示された技術は、いずれも特殊なプロジェクタを必要とするか、あるいは、同じ組の複数台のプロジェクタを１台のプロジェクタのように動作させるための仕組みが必要であるという問題がある。
【００１５】
具体的には、特許文献１に開示された技術においては、投射方向切替部を必要とする。これは、時分割表示が可能である程度に高速で動作し、かつ、大画面表示が可能である程度に大きな角度での投射方向の切り替えが可能でなければならない。しかし、これを実現するのは非常に困難であるとともに非常に高コストとなる。
【００１６】
また、特許文献２に開示された技術における実施形態１においては、複数の光源、光源選択部、光源ミキンシグなどを必要とする。しかも、これらを実際のプロジェクタにおいて、光軸ずれなどによる表示性能劣化を起こさないように配置しなければならない。これらを実現するのは非常に困難であるか、あるいは、非常に高コストとなる。
【００１７】
さらに、特許文献２に開示された技術における実施形態２は、１つの投影ユニットを構成する複数台のプロジェクタを１台のプロジェクタのように動作させなければならない。このため、複数台のプロジェクタ間の調整を高精度に行う必要があり、かつ、その状態を
維持するのは非常に困難である。
また、特許文献２の実施形態１に開示された技術は、表示異常の原因として、光源の不良しか考慮していないものである。したがって、光源の不良以外の原因による表示異常については対処できないという問題もある。更に、特許文献２の実施形態２に開示された技術においても、プロジェクタ内部に起因する表示異常にしか対応できないと言う問題もある。
【００１８】
本発明は、複数のプロジェクタを用いて１つの大画面画像の表示を可能とするマルチプロジェクションシステムにおいて、特殊なプロジェクタを必要とせずに、また、複数台のプロジェクタを１台のプロジェクタのように動作させるための仕組みなどを必要とせずに、マルチプロジェクションシステムを構成するプロジェクタの表示異常に対して適切に対処することができ、表示の信頼性を維持することのできるマルチプロジェクションシステム及びマルチプロジェクションシステムにおける画像表示方法及びマルチプロジェクションシステムにおいて用いられるプロジェクタを提供することを目的する。
【課題を解決するための手段】
【００１９】
（１）本発明のマルチプロジェクションシステムは、Ｍ台（Ｍは２以上の整数）のプロジェクタがそれぞれに割り当てられた部分画像を表示することによって前記部分画像の集合としての画像の表示を可能とするマルチプロジェクションシステムであって、前記マルチプロジェクションシステムは、前記画像のうちのいずれの領域においても２台以上のプロジェクタが表示を行うように、それぞれに割り当てられた部分画像を表示するＮ台（Ｎは１以上の整数）のプロジェクタをさらに配置し、前記Ｍ台又はＮ台のプロジェクタのうちの少なくとも１台のプロジェクタに表示異常が発生すると、前記表示異常が発生したプロジェクタが表示する部分画像の領域と少なくとも一部の同じ領域を表示するプロジェクタに割り当てられた部分画像に対応する画像データを、前記表示異常に対応する表示パラメータを用いて画像表示処理する画像表示処理部を有することを特徴とする。
【００２０】
このような構成を有することにより、複数台のプロジェクタのうちの少なくとも１台のプロジェクタに表示異常が発生すると、前記表示異常が発生したプロジェクタが表示する部分画像の領域と少なくとも一部の同じ領域を表示するプロジェクタ（表示異常が発生したプロジェクタとの間で重複した表示を行うプロジェクタという）が、前記表示異常に対応する表示パラメータを用いて画像表示処理して部分画像を表示する。これにより、仮に、マルチプロジェクションシステムを構成するプロジェクタのうちの、あるプロジェクタが表示異常を発生した場合であっても、表示画像全体の品質を大きく損なうことなく表示を続行することができ、マルチプロジェクションシステムの信頼性を向上させることができる。しかも、本発明のマルチプロジェクションシステムは、特殊なプロジェクタではなく一般的なプロジェクタを用いることができ、また、複数台のプロジェクタを１台のプロジェクタのように動作させるための仕組みなども必要としないので、マルチプロジェクションシステムを安価にかつ容易に構成することができる、
なお、画像表示処理部は、各プロジェクタそれぞれが有するような構成としてもよく、また、プロジェクタが接続される情報処理装置（パーソナルコンピュータなど）が有するような構成としてもよい。
【００２１】
（２）前記（１）に記載のマルチプロジェクションシステムにおいては、前記画像表示処理部は、前記表示異常であることを示す表示異常信号を受信する表示異常信号受信部と、前記表示異常信号受信部で受信した表示異常信号に対応した表示パラメータを選択する表示パラメータ選択部とをさらに有することが好ましい。
【００２２】
このような構成を有することにより、複数台のプロジェクタのうちの少なくとも１台のプロジェクタに表示異常が発生した場合、表示異常に対応した表示パラメータを選択する
ことができる。そして、画像表示処理装置は、選択した表示パラメータを用いて、表示異常が発生したプロジェクタとの間で重複した表示を行うプロジェクタに割り当てられた部分画像を画像処理することができる。これにより、表示異常が発生したプロジェクタとの間で重複した表示を行うプロジェクタが、表示異常の発生したプロジェクタの表示異常を補った表示を行うことができる。
【００２３】
（３）前記（１）又は（２）に記載のマルチプロジェクションシステムにおいては、前記画像表示処理部は、前記表示異常に対応する表示パラメータを記憶する表示パラメータ記憶部をさらに有することが好ましい。
【００２４】
このような構成とすることにより、複数台のプロジェクタのうちの少なくとも１台のプロジェクタに表示異常が発生した場合、表示異常に対応した表示パラメータを表示パラメータ記憶部から容易に選択することができる。なお、例えば、各プロジェクタが前記画像表示処理装置を有する構成とした場合、各プロジェクタの前記表示パラメータ記憶部には、自身のプロジェクタと重複した表示を行うプロジェクタが表示不能となったときに必要な表示パラメータのみを記憶させるようにしてもよく、また、他の任意のプロジェクタが表示異常となった場合に必要な表示パラメータを記憶させるようにしてもよい。これにより、表示画像全体についての最適な補正表示を可能とすることができる。
【００２５】
（４）前記（１）〜（３）のいずれかに記載のマルチプロジェクションシステムにおいては、前記画像表示処理部は、表示異常を検出する表示異常検出部をさらに有し、前記表示異常検出部が、あるプロジェクタに表示異常が発生したことを検出すると、前記表示異常が発生したプロジェクタが表示する部分画像の領域と少なくとも一部の同じ領域を表示するプロジェクタに前記表示異常であることを示す表示異常信号を送信することが好ましい。
【００２６】
これは、各プロジェクタが画像表示処理装置を有する構成とした場合であれば、プロジェクタの表示異常を自身で検出するものであり、各プロジェクタ自身で表示異常を検出することによって、表示に発生した異常が、どのプロジェクタに起因するものであるかを適切に検出することができる。なお、表示異常検出部としては、一般的なプロジェクタが有するセルフモニタ機能を用いることも可能であり、セルフモニタ機能を用いることにより、表示異常検出部として新たな機能を付加する必要がなくなる。
【００２７】
（５）前記（１）〜（３）に記載のマルチプロジェクションシステムにおいては、前記スクリーン上に表示される画像を監視可能な表示画像監視部を有し、前記表示画像監視部が、あるプロジェクタに表示異常が発生したことを検出すると、前記表示異常が発生したプロジェクタ及び前記表示異常が発生したプロジェクタが表示する部分画像の領域と少なくとも一部の同じ領域を表示するプロジェクタに、前記表示異常であることを示す表示異常信号を送信することが好ましい。
【００２８】
これは、スクリーンなどに表示された表示画像を撮像装置などによって撮像して得られた撮像データから表示異常を検出するとともに、表示異常の発生したプロジェクタの特定をも可能とするものである。このように、撮像データからプロジェクタの表示異常を検出することにより、プロジェクタそのものの不具合（ランプ切れなど）が原因による表示異常は勿論のこと、人や障害物などによりプロジェクタの投射光の一部又は全てが遮られてしまう表示異常など、プロジェクタそのものの不具合が原因ではない表示異常をも検出することができる。
【００２９】
また、表示画像監視部によって表示異常が検出されると、表示異常が発生したプロジェクタを特定し、表示画像監視部から表示異常の発生したプロジェクタ及び当該表示異常の
発生したプロジェクタとの間で重複した表示を行うプロジェクタにそれぞれ表示異常信号を送信する。
【００３０】
（６）前記（１）〜（５）のいずれかに記載のマルチプロジェクションシステムにおいては、前記表示異常は、プロジェクタが表示不能となった状態、プロジェクタの表示が不安定となった状態及びプロジェクタによって表示された部分画像に部分的な欠落が生じた状態の少なくともいずれかの状態を含み、前記表示が不安定となった状態及び表示された部分画像に部分的な欠落が生じた状態となった場合は、当該プロジェクタは自身の表示動作を停止することが好ましい。
【００３１】
ここでいう表示不能となった状態というのは、ランプ切れや電源回路の不具合さらには前述したように投射光が完全に遮られることによって当該プロジェクタに割り当てられた部分画像全体が欠落した状態となることである。また、表示が不安定となった状態というのは、例えば、ランプ切れ直前などにおいてランプの点灯が不安定となった状態などが一例として挙げられる。また、部分画像に部分的な欠落が生じた状態というのは、例えば、前述したように、プロジェクタの投射光の一部が遮られることによって当該プロジェクタに割り当てられた部分画像が部分的に欠落した状態などが一例として挙げられる。
【００３２】
そして、これら表示が不安定な状態及び部分画像に部分的な欠落が生じた状態となった場合は、当該プロジェクタは自身の表示動作を積極的に停止させる。これにより、表示が不安定な状態及び部分画像に部分的な欠落が生じた状態も、表示不能となった状態と同等に扱うことができるので、表示異常に対する処理を適切にかつ容易に行うことができる。
【００３３】
（７）前記（１）〜（６）のいずれかに記載のマルチプロジェクションシステムにおいては、前記表示パラメータは、隣接する投射画像間の境界を目立たなくするための輝度の重み付けパラメータと、各プロジェクタが有する輝度及び色の特性の違いを補正するためのパラメータの少なくともいずれかのパラメータを含むことが好ましい。
【００３４】
これにより、マルチプロジェクションシステムを構成するプロジェクタのうちのあるプロジェクタに表示異常が発生した場合であっても、表示画像全体の品質を大きく損なうことなく表示を続行することができる。
【００３５】
（８）本発明のマルチプロジェクションシステムにおける画像表示方法においては、Ｍ台（Ｍは２以上の整数）のプロジェクタがそれぞれに割り当てられた部分画像を表示することによって前記部分画像の集合としての画像の表示を可能とするマルチプロジェクションシステムにおける画像表示方法であって、前記画像のうちのいずれの領域においても２台以上のプロジェクタが表示を行うように、それぞれに割り当てられた部分画像を表示するＮ台（Ｎは１以上の整数）のプロジェクタをさらに配置し、前記Ｍ台又はＮ台のプロジェクタのうちの少なくとも１台のプロジェクタに表示異常が発生すると、前記表示異常が発生したプロジェクタが表示する部分画像の領域と少なくとも一部の同じ領域を表示するプロジェクタに割り当てられた部分画像に対応する画像データを、前記表示異常に対応する表示パラメータを用いて画像表示処理することを特徴とする。
【００３６】
本発明のマルチプロジェクションシステムにおける画像表示方法によれば、前記（１）に記載のマルチプロジェクションシステムと同様の効果を得ることができる。なお、本発明のマルチプロジェクションシステムにおける画像表示方法においても、前記（２）〜（７）に記載のマルチプロジェクションシステムと同様の特徴を有することが好ましい。
【００３７】
（９）本発明のプロジェクタは、Ｍ台（Ｍは２以上の整数）のプロジェクタがそれぞれに割り当てられた部分画像を表示することによって前記部分画像の集合としての画像の表
示を可能とし、かつ、前記画像のうちのいずれの領域においても２台以上のプロジェクタが表示を行うように、それぞれに割り当てられた部分画像を表示するＮ台（Ｎは１以上の整数）のプロジェクタをさらに配置したマルチプロジェクションシステムに用いるためのプロジェクタであって、自身に割り当てられた部分画像の領域と少なくとも一部の同じ領域を表示するプロジェクタに表示異常が発生すると、前記表示異常に対応する表示パラメータによって画像処理された前記自身に割り当てられた部分画像に対応する画像データに基づいて、前記自身に割り当てられた部分画像を表示することを特徴とする。
【００３８】
本発明のプロジェクタがこのような動作を行うことによって、（１）に記載のマルチプロジェクションシステムを構成することができる。
【発明を実施するための最良の形態】
【００３９】
以下に図を参照して本発明に実施形態について説明する。
［実施形態１］
【００４０】
図１は実施形態１に係るマルチプロジェクションシステムにおけるプロジェクタの配置例を説明する図である。本発明のマルチプロジェクションシステムは、横方向及び縦方向に多数のプロジェクタを配置し、各プロジェクタが表示する部分画像の集合としての大画面の画像の表示を可能とするものであるが、説明を簡単にするために、図１においては、プロジェクタを横方向のみの１次元的な配列とした例を用いて説明する。
【００４１】
実施形態１に係るマルチプロジェクションシステムは、図１に示すように、５台のプロジェクタＰＪ１〜ＰＪ５からスクリーンに投射される部分画像によって、太線枠で囲まれた有効画像表示領域Ａをスクリーン（図示せず）に表示するものとする。これは図２に示すような考え方に基づくものである。
【００４２】
実施形態１に係るマルチプロジェクションシステムにおける有効画像表示領域Ａは、図２（ａ）に示すように、２台のプロジェクタＰＪ１，ＰＪ２で表示可能なサイズである。
【００４３】
この場合、２台のプロジェクタＰＪ１，ＰＪ２は、それぞれに割り当てられた部分画像Ｇ１，Ｇ２の境界が完全に接した状態となるように配置されることが好ましいが、実際には、そのような状態を実現することは困難である。
【００４４】
そこで、境界部分の不整合を目立たなくするために、まずは、Ｍ台（２台とする）のプロジェクタＰＪ１，ＰＪ２がそれぞれに割り当てられた部分画像Ｇ１，Ｇ２を表示することによって、有効画像表示領域Ａの表示を行う。次に、プロジェクタＰＪ１，ＰＪ２からの部分画像を構成する領域のいずれの領域においても２台以上のプロジェクタが当該領域に対して重複した表示を行うようにさらにＮ台（３台とする）のプロジェクタＰＪ３〜ＰＪ５から部分画像Ｇ３〜Ｇ５を投射する。
【００４５】
具体的には、図２（ｂ）に示すように、プロジェクタＰＪ１，ＰＪ２のそれぞれの部分画像Ｇ１，Ｇ２に、プロジェクタＰＪ３からの部分画像Ｇ３が５０％ずつ重複するようにプロジェクタＰＪ３の投射を行う。その後、プロジェクタＰＪ３の左右両側にそれぞれ１台ずつ他のプロジェクタＰＪ４，ＰＪ５を配置し、これら各プロジェクタＰＪ４，ＰＪ５からの部分画像Ｇ４，Ｇ５をプロジェクタＰＪ３からの部分画像Ｇ３の左右両側の辺に接するように投射を行う。
【００４６】
このような表示を行うことにより、部分画像Ｇ１，Ｇ２により形成される大画面の画像のうちのいずれの領域においても２台以上（この例では２台）のプロジェクタで表示がなされることとなる。先に説明した図１はこの状態を示したものである。
【００４７】
なお、図１及び図２の例では、各プロジェクタＰＪ１〜ＰＪ５は、スクリーン上において同じ大きさの部分画像Ｇ１〜Ｇ５を投射する例である。このため、有効画像表示領域Ａにおいては、プロジェクタＰＪ２からの部分画像Ｇ２に対してプロジェクタＰＪ１，ＰＪ３からの部分画像Ｇ１，Ｇ３がそれぞれ５０％ずつ重複して表示され、同様に、プロジェクタＰＪ４からの部分画像Ｇ４に対してプロジェクタＰＪ３，ＰＪ５からの部分画像Ｇ３，Ｇ５がそれぞれ５０％ずつ重複して表示される。
【００４８】
ここで、複数台のプロジェクタ（実施形態１の例は５台のプロジェクタＰＪ１〜ＰＪ５）からの部分画像を用いて大画面画像を形成するためには、幾つかの表示パラメータを必要とする。表示パラメータとしては、隣接する部分画像間の境界を目立たなくするための輝度の重み付けパラメータや、各プロジェクタが有する輝度及び色の特性の違いを補正するためのパラメータなどが挙げられる。本発明の実施形態では説明を簡単にするために、表示パラメータとしては、輝度の重み付けパラメータを考えるものとする。
【００４９】
図１に示したように、５台のプロジェクタＰＪ１〜ＰＪ５を用いて有効画像表示領域Ａを表示する際、輝度の重み付けパラメータを用いて、各プロジェクタＰＪ１〜ＰＪ５により投射される部分画像に輝度の重み付けを行う。輝度の重み付けがなされた画像を重ね合わせることにより、有効画像表示領域Ａ内では境界の見え難い、均一な明るさの画像を表示することが可能となる。
【００５０】
図３は実施形態１に係るマルチプロジェクションシステムにおいて使用する輝度の重み付けのパラメータ（単に重み付けパラメータという）に対応する輝度の重み付けパターン（単に重み付けパターンという）を模式的に示す図である。図１に示すような表示を行う際には、プロジェクタＰＪ１，ＰＪ２，ＰＪ３に対しては図３（ｄ）に示す重み付けパターンＷＰ４、プロジェクタＰＪ４に対しては図３（ｂ）に示す重み付けパターンＷＰ２、プロジェクタＰＪ５に対しては図３（ｃ）に示す重み付けパターンＷＰ３が用いられる。
【００５１】
各プロジェクタＰＪ１〜ＰＪ５は、これらの重み付けパターンに対応した重み付けパラメータを用いて、自身に割り当てられた部分画像に対応する画像データに対して画像表示処理を施すことにより、有効画像表示領域Ａ内では境界の見え難い、均一な明るさの画像の表示が可能となる。
【００５２】
図４は実施形態１に係るマルチプロジェクションシステムを構成する複数のプロジェクタのうちのあるプロジェクタの表示不能となった状態を示す図である。図４においては、中央のプロジェクタＰＪ３が何らかの原因により表示不能となり、プロジェクタＰＪ３からの部分画像が欠落した例が示されている。このように、プロジェクタＰＪ３が何らかの原因により表示不能となると、プロジェクタＰＪ３からの部分画像Ｇ３が欠落するために、図４に示すように、有効画像表示領域Ａにおける中央部とその周辺が暗くなった画像となってしまう。
【００５３】
このとき、実施形態１に係るマルチプロジェクションシステムにおいては、表示不能となったプロジェクタＰＪ３は、自身が表示する部分画像の領域と少なくとも一部の同じ領域を表示するプロジェクタＰＪ１，ＰＪ２に、自身が表示異常（表示不能）となったことを知らせるための信号（表示異常信号という）を送信する。これにより、プロジェクタＰＪ３との間で重複した表示を行うプロジェクタＰＪ１，ＰＪ２は、表示異常信号を受信し、表示パラメータを変更する。すなわち、自身（プロジェクタＰＪ１，ＰＪ２）が記憶している重み付けパラメータ（この例では図３に示されている重み付けパターンに対応する重み付けパラメータ）の中から、そのときの表示異常に対応した重み付けパラメータを選択する。なお、本発明の実施形態では、たとえば、「自身が表示する部分画像の領域と少
なくとも一部の同じ領域を表示するプロジェクタ」のことを、「自身との間で重複した表示を行うプロジェクタ」というように表記することとにする。
【００５４】
図５は実施形態１に係るマルチプロジェクションシステムを構成する複数のプロジェクタのうちのあるプロジェクタに表示不能が発生した場合の重み付けパターンの変更例を説明する図である。図５は図４に対応するものであり、プロジェクタＰＪ３が表示不能となった場合である。
【００５５】
図５に示すように、プロジェクタＰＪ３が表示不能となると、プロジェクタＰＪ３からは、自身との間で重複した表示を行うプロジェクタＰＪ１，ＰＪ２に表示異常信号（図５では単に「異常」としている）が送信される。なお、各プロジェクタＰＪ１〜ＰＪ５は、自信が表示異常でない場合には、自身との間で重複した表示を行うプロジェクタに対して正常を示す情報を送信しているものとする。
【００５６】
そして、表示異常となったプロジェクタＰＪ３から表示異常信号が送信されると、図５に示すように、プロジェクタＰＪ３との間で重複した表示を行う左隣のプロジェクタＰＪ１の重み付けパターンが重み付けパターンＷＰ４から重み付けパターンＷＰ８に変更され、また、右隣のプロジェクタＰＪ２においては重み付けパターンが重み付けパターンＷＰ４から重み付けパターンＷＰ７に変更される。その結果として、プロジェクタＰＪ３からの部分画像Ｇ３が欠落することによる有効画像表示領域Ａにおける中央部とその周辺が暗くなるといった不具合が解消されることとなる。
【００５７】
このとき、プロジェクタＰＪ３からの部分画像Ｇ３が欠落することによって、プロジェクタＰＪ１の部分画像Ｇ１とプロジェクタＰＪ２の部分画像Ｇ２との接合部分の境界が見えてしまう場合もある。しかし、あるプロジェクタが表示不能となった場合であっても、表示画像全体の品質を大きく損なうことなく表示を続行することができ、マルチプロジェクションシステムの信頼性を向上させることができる。
【００５８】
図６は実施形態１に係るマルチプロジェクションシステムにおける画像表示処理の流れを示すフローチャートである。図６のフローチャートに示す処理手順は、実施形態１に係るマルチプロジェクションシステム及び後に説明する実施形態２に係るマルチプロジェクションシステムにおいてほぼ共通である。ここでは、実施形態１に係るマルチプロジェクションシステムに対応した動作として説明する。
【００５９】
図６に示すように、表示タイミングの待ち状態から表示タイミングとなると（ステップＳ１）、個々のプロジェクタは自身の表示が正常であるか否かを判定し（ステップＳ２）、表示が正常であれば、表示が正常であることを自身との間で重複した表示を行っている他のプロジェクタに通知する（ステップＳ３）。また、他のプロジェクタ（自身との間で重複した表示を行っているプロジェクタ）からの表示状態（表示が正常であるか否かを示す状態）を示す情報を受信する（ステップＳ４）。なお、ステップＳ２における自身のプロジェクタの表示が正常であるか否かの判定は、各プロジェクタが有するセルフモニタ機能などによって行うことが可能である。
【００６０】
そして、ステップＳ２における判定結果を示す情報及びステップＳ４における他のプロジェクタの表示状態などの情報を取得すると、取得した情報に基づいて、表示に必要な表示パラメータ（重み付けパラメータなど）を自身の表示パラメータ記憶部１４（図７参照）から取得する（ステップＳ５）。また、自身に割り当てられた部分画像に対応する表示画像データを取得して（ステップＳ６）、ステップＳ５により選択した表示パラメータを用いて表示画像データを変調し（ステップＳ７）、自身に割り当てられた部分画像を表示する（ステップＳ８）。
【００６１】
一方、ステップＳ２において、自身のプロジェクタの表示が異常であると判定された場合は、自身との間で重複した表示を行うプロジェクタ表示異常信号を送信し（ステップＳ９）、自身のプロジェクタを非表示状態とし（ステップＳ１０）、ステップＳ１に戻る。なお、自身のプロジェクタを非表示状態としたあと、ステップＳ１に戻るのは、非表示状態となったあと復旧の可能性を考慮した場合であるが、非表示状態となったあと復旧の可能性を考慮しない場合には、非表示状態とした時点で当該プロジェクタの処理を終了する。
【００６２】
図７は実施形態１に係るマルチプロジェクションシステムに用いられるプロジェクタの構成を示す図である。図７はある１台のプロジェクタの構成を示すものである。実施形態１に係るマルチプロジェクションシステムに用いられるプロジェクタは、図７に示すように、画像表示処理部１０と、光源部２１と、表示素子部２２と、投射光学系部２３とを有している。
【００６３】
画像表示処理部１０は、表示異常検出部１１と、表示異常信号送信部１２と、表示異常信号受信部１３と、表示パラメータ記憶部１４と、表示パラメータ選択部１５と、表示画像データ入力部１６と、表示画像データ変調部１７とを有している。
【００６４】
表示異常検出部１１は、自身の表示異常を検出するものであり、これは、プロジェクタが通常持っているセルフモニタ機能をそのまま使用することもできる。なお、表示異常としては、当該プロジェクタが表示不能となった状態、当該プロジェクタの表示が不安定となった状態及び当該プロジェクタからの部分画像に部分的な欠落が生じた状態が挙げられるが、実施形態１に係るマルチプロジェクションシステムにおいては、表示不能となった状態を表示異常とする。また、実施形態１に係るマルチプロジェクションシステムにおいての表示不能は、ランプ切れや電源回路の不具合などプロジェクタそのものの原因により、当該プロジェクタからの部分画像が欠落した状態となることであるとする。
【００６５】
表示異常信号送信部１２は、表示異常検出部１１によって表示異常が検出されると、自身に表示異常が発生したことを示す表示異常信号を、自身との間で重複した表示を行うプロジェクタに送信する機能を有している。
表示異常信号受信部１３は、自身との間で重複した表示を行うプロジェクタからの表示異常信号を受信する機能を有している。
【００６６】
また、表示パラメータ記憶部１４は、表示画像データ入力部１６から入力される表示画像データの表示を行う際に必要な表示パラメータを記憶するものである。表示パラメータ記憶部１４は、自身のプロジェクタと重複した表示を行うプロジェクタが表示不能となったときに必要な表示パラメータのみを記憶するようにしてもよく、また、他の任意のプロジェクタが表示異常となった場合に必要な表示パラメータを記憶するようにしてもよい。
【００６７】
ここで、表示パラメータ記憶部１４が記憶する表示パラメータとしては、図３に示したような重み付けパターンに対応する重み付けパラメータの他に、各プロジェクタが有する輝度や色などの特性を補正するための補正パラメータなども含まれる。
【００６８】
表示パラメータ選択部１５は、そのときの表示状態に応じた表示パラメータを表示パラメータ記憶部１４から選択する機能を有するものである。
具体例としては、表示パラメータとして、重み付けパラメータのみについて考えた場合、図５の例に示すように、プロジェクタＰＪ３から表示異常信号をプロジェクタＰＪ１，ＰＪ２が受信すると、プロジェクタＰＪ１の表示パラメータ選択部１５は、表示パラメータ記憶部１４から重み付けパターンＷＰ８に対応する重み付けパラメータを選択し、プロ
ジェクタＰＪ２の表示パラメータ選択部１５は、表示パラメータ記憶部１４から重み付けパターンＷＰ７に対応する重み付けパラメータを選択する。
【００６９】
そして、プロジェクタＰＪ１，ＰＪ２では、選択した重み付けパラメータを用いて各プロジェクタＰＪ１，ＰＪ２に割り当てられた部分画像を表示する。すなわち、各プロジェクタＰＪ１,ＰＪ２の画像表示処理部１０では、表示パラメータ記憶部１４で選択された
重み付けパターンＷＰ８，ＷＰ７に対応する重み付けパラメータを用いて表示画像データ変調部１７が各プロジェクタＰＪ１，ＰＪ２に割り当てられた部分画像に対応する表示画像データを変調する。なお、実際には、重み付けパラメータとともに、各プロジェクタが有する輝度や色の特性などの補正を行うためのパラメータも選択して表示画像データ変調部１７に与える。
【００７０】
なお、図７において、個々のプロジェクタが有する表示異常信号送信部１２及び表示異常信号受信部１３の各プロジェクタ間の接続は、各プロジェクタ間をケーブルなどによって個々に接続するものであってもよく、バス型の接続であってもよい、さらには、ネットワークなどによる通信手段を用いるようにしてもよい。
【００７１】
以上説明したように、実施形態１に係るマルチプロジェクションシステムにおいては、個々のプロジェクタが自身の表示異常の有無を検出する機能を有するとともに、表示異常に対応した表示パラメータを記憶する機能を有する。これにより、各プロジェクタは自身に表示異常が発生した場合、自身と重複した表示を行うプロジェクタに表示異常信号を与える。また、自身と重複した表示を行うプロジェクタから表示異常信号を受け取った場合には、それに対応する表示パラメータを選択して、選択した表示パラメータを用いて自身が表示すべき表示画像データを変調して表示を行う。
【００７２】
実施形態１に係るマルチプロジェクションシステムを構成するプロジェクタがこのような機能を有することにより、あるプロジェクタが表示不能となった場合であっても、表示不能となったプロジェクタとの間で重複した表示を行うプロジェクタが表示異常に対応した表示パラメータを用いて表示画像データを変調して表示を行う。
【００７３】
これにより、実施形態１に係るマルチプロジェクションシステムを構成するプロジェクタのうちのあるプロジェクタに表示不能が生じた場合でも、表示画像全体の品質を大きく損なうことなく表示を続行することができ、マルチプロジェクションシステムの信頼性を向上させることができる。
【００７４】
また、実施形態１に係るマルチプロジェクションシステムを構成するプロジェクタは、特殊なプロジェクタではなく、市販の一般的なプロジェクタにわずかな機能（自身の表示異常信号を送信する機構、表示異常信号を受信する機構、表示パラメータを記憶する機能など）を追加するだけで済むので、コスト的に有利なものとなる。また、複数台のプロジェクタを１台のプロジェクタのように動作させるための仕組みなども必要としないので、プロジェクタ間の微妙な調整などを行う必要も特にない。
【００７５】
なお、これまでの説明では、複数のプロジェクタを１次元配列として表示を行う場合について説明したが、複数のプロジェクタを２次元配列として表示を行う場合においても同様に実施できる。
【００７６】
図８は複数のプロジェクタを２次元配列として表示を行う例について説明する図である。
図８において太線で示す領域は有効画像表示領域Ａであり、この有効画像表示領域Ａの表示を行うには４台のプロジェクタＰＪ１〜ＰＪ４で済むが、図１及び図２の場合と同様
、各プロジェクタＰＪ１〜ＰＪ４からの部分画像Ｇ１〜Ｇ４の境界を目立たなくするために、さらに９台のプロジェクタＰＪ５〜ＰＪ１３（プロジェクタＰＪ６〜ＰＪ１３の図示は省略）を用いる。そして、これら９台のプロジェクタＰＪ５〜ＰＪ１３からの部分画像Ｇ５〜Ｇ１３を４台のプロジェクタＰＪ１〜ＰＪ４の部分画像Ｇ１〜Ｇ４に重複して表示する。図８に示すような表示を行うことにより、部分画像Ｇ１〜Ｇ４を構成する領域のいずれの領域においても２台以上（この例では２台）のプロジェクタで表示がなされることとなる。
【００７７】
なお、図８の例では、４台のプロジェクタＰＪ１〜ＰＪ４からの部分画像Ｇ１〜Ｇ４に対して９台のプロジェクタＰＪ５〜ＰＪ１３からの部分画像Ｇ５〜Ｇ１３が縦方向及び横方向にそれぞれ５０％ずつ重複するように投射された例である。
【００７８】
図９は図８に示すように配置された複数のプロジェクタの各プロジェクタからの部分画像に対応する重み付けパターンを示す図である。
また、図１０は図９の重み付けパターンに対応する重み付けパラメータを用いて各プロジェクタが投射を行った場合の表示状態を示す図である。
また、図１１は図８に示すように配置された複数のプロジェクタのうちのあるプロジェクタが表示不能となった場合の表示状態を示す図である。
【００７９】
図９（ａ）に示す重み付けパターンＷＰ１１〜ＷＰ１４は、図８におけるプロジェクタＰＪ１〜ＰＪ４の部分画像Ｇ１〜Ｇ４に対応する重み付けパターンであり、図９（ｂ）に示す重み付けパターンＷＰ１５〜ＷＰ２３は、図８におけるプロジェクタＰＪ５〜ＰＪ１３の部分画像Ｇ５〜Ｇ１３に対応する重み付けパターンである。
【００８０】
図９（ａ），（ｂ）に示すような重み付けパターンに対応する重み付けパラメータを各プロジェクタが用いて表示画像データに対して変調を行うことにより、図１０に示すように、有効画像表示領域Ａでは境界の見え難い、均一な明るさの画像を表示することができる。
【００８１】
ここで、図示されていないプロジェクタＰＪ９（有効画像表示領域Ａの中央部の部分画像Ｇ９を投射するプロジェクタ）が表示不能となった場合を考える。これにより、プロジェクタＰＪ９の部分画像Ｇ９が欠落するために、図１１に示すように中央部とその周辺が暗くなった画像となってしまう。
【００８２】
このとき、表示不能となったプロジェクタＰＪ９は、自身との間で重複した表示を行うプロジェクタ（この場合は、プロジェクタＰＪ１〜ＰＪ４）に表示異常信号を送信する。これにより、プロジェクタＰＪ１〜ＰＪ４は、この表示異常信号を受信し、表示パラメータを変更する。すなわち、自身（プロジェクタＰＪ１〜ＰＪ４）が記憶している各種の表示パラメータ（重み付けパラメータのみについて考える）の中から、その状態に対応した重み付けパラメータを選択する。
【００８３】
図１２は図１０に示すような表示状態においてプロジェクタＰＪ９が表示不能となった場合に用いられる重み付けパターンを示す図である。図１２において、重み付けパターンＷＰ２４は、プロジェクタＰＪ１が選択した重み付けパターン、重み付けパターンＷＰ２５は、プロジェクタＰＪ２が選択した重み付けパターン、重み付けパターンＷＰ２６は、プロジェクタＰＪ３が選択した重み付けパターン、重み付けパターンＷＰ２７は、プロジェクタＰＪ４が選択した重み付けパターンである。
【００８４】
このように、表示不能となったプロジェクタＰＪ９との間で重複した表示を行うプロジェクタＰＪ１〜ＰＪ４が図１２に示すような重み付けパターンＷＰ２４〜ＷＰ２７を選択
して、選択した重み付けパターンＷＰ２４〜ＷＰ２７に対応する重み付けパラメータを用いて各プロジェクタＰＪ１〜ＰＪ４が表示画像データを変調して表示を行う。これにより、その結果として、プロジェクタＰＪ９の部分画像が欠落することによる有効画像表示領域Ａの中央部及びその周辺が暗くなるといった不具合が解消されることになる。
【００８５】
このとき、プロジェクタＰＪ９の部分画像Ｇ３が欠落することにより、プロジェクタＰＪ１〜ＰＪ４の部分画像Ｇ１〜Ｇ４の各接合部分の境界が見えてしまう場合もある。しかし、あるプロジェクタが表示不能となった場合であっても、表示画像全体の品質を大きく損なうことなく表示を続行することができ、マルチプロジェクションシステムの信頼性を向上させることができる。
【００８６】
なお、図１２ではある特定の重み付けパターンのみについて示したが、重み付けパターンは様々なパターンが用意される。
【００８７】
図１３は図１０に示すような表示状態においてプロジェクタＰＪ３が表示不能となった場合に用いられる重み付けパターンの例を示す図である。すなわち、図１３に示す重み付けパターンＷＰ２８は、プロジェクタＰＪ８の部分画像Ｇ８に用いる重み付けパターン、重み付けパターンＷＰ２９は、プロジェクタＰＪ９の部分画像Ｇ９に用いる重み付けパターン、重み付けパターンＷＰ３０は、プロジェクタＰＪ１１の部分画像Ｇ１１に用いる重み付けパターン、重み付けパターンＷＰ３１は、プロジェクタＰＪ１２の部分画像Ｇ１２に用いる重み付けパターンである。
【００８８】
プロジェクタＰＪ３との間で重複した表示を行うプロジェクタがこのような重み付けパターンを用いて画像表示処理を行うことにより、プロジェクタＰＪ３の部分画像Ｇ３の欠落を補った表示が可能となる。
【００８９】
［実施形態２］
実施形態１においては、個々のプロジェク自身で自身のプロジェクタの表示異常を、検出するものであった。表示異常を生じる原因は、個々のプロジェクタそのものの不具合によるものだけではなく、プロジェクタの外部に存在する可能性もある、図１４に示すように、あるプロジェクタの前に人や障害物が存在することによって投射が遮られて、スクリーン上で当該プロジェクタによる部分画像が欠落するような場合もその一例である。
【００９０】
図１４は実施形態２に係るマルチプロジェクションシステムの構成を概略的に示す図である。図１４においては、説明を簡単にするために、実施形態１における図１と同様、プロジェクタを横方向のみの１次元的な配列とした例について説明する。
【００９１】
実施形態２に係るマルチプロジェクションシステムは、表示異常の検出を、個々のプロジェクタではなく、撮像装置３１からの撮像データに基づいて行う点が実施形態１に係るマルチプロジェクションシステムと異なっている。
【００９２】
すなわち、実施形態２に係るマルチプロジェクションシステムは、スクリーン上の表示画像全体を監視する表示画像監視部３０を有し、複数のプロジェクタ（この場合も５台のプロジェクタＰＪ１〜ＰＪ５としている）による表示画像全体を撮像装置３１によって撮像し、表示異常検出部３２が撮像装置３１から出力される撮像データに基づいて表示異常を検出するとともに、表示異常の発生したプロジェクタを特定する。そして、表示異常信号送信部３３が、表示異常の発生したプロジェクタ及び表示異常の発生したプロジェクタとの間で重複した表示を行うプロジェクタに対して表示異常信号を送信する。
【００９３】
図１４に示すように、プロジェクタＰＪ３の前に人などが存在することによって当該プ
ロジェクタＰＪ３の投射が遮られることにより、スクリーン上で当該プロジェクタによる部分画像の一部、又は全体が欠落した状態となったことが撮像装置３１からの撮像データによって検出されると、当該プロジェクタＰＪ３及びプロジェクタＰＪ３との間で重複した表示を行っているプロジェクタＰＪ２，ＰＪ４にそれぞれ表示異常信号が送信される。
【００９４】
なお、図１４のように、ランプ切れなどプロジェクタそのものに原因があるのではなく、プロジェクタからの投射が完全に遮られることによってスクリーン上で当該プロジェクタによる部分画像が欠落した状態となった場合も、当該プロジェクタは表示不能の状態であるとする。
【００９５】
図１５は実施形態２に係るマルチプロジェクションシステムに用いられるプロジェクタＰＪ１，ＰＪ２，・・・と表示画像監視部３０の構成を示す図である。
図１５に示すように、表示画像監視部３０は、撮像装置３１と、撮像装置３１からの撮像データに基づいて表示異常を検出するとともに、表示異常の発生したプロジェクタを特定する機能を有する表示異常検出部３２と、表示異常信号をプロジェクタＰＪ１，ＰＪ２，・・・に送信する機能を有する表示異常信号送信部３３とを有している。
【００９６】
また、実施形態２に係るマルチプロジェクションシステムにおいて用いるプロジェクタＰＪ１，ＰＪ２，・・・は、図７で示したプロジェクタの構成に対して、表示異常検出部１１と表示異常信号送信部１２が存在しない点が異なり、その他の構成は図７と同じであるので、同一部分には同一符号が付されている。
【００９７】
なお、撮像装置３１はスクリーン上の表示画像を外乱の影響を受けることなく適切に撮像できるように設置することが好ましい。これは、撮像データに外乱の影響が入ると、プロジェクタからの投射状態を的確に判断できなくなる場合があるからである。
【００９８】
また実施形態２に係るマルチプロジェクションシステムにおいては、重複した表示を行うプロジェクタ同士（例えば、プロジェクタＰＪ１とプロジェクタＰＪ３、プロジェクタＰＪ２とプロジェクタＰＪ３など）の間隔をできるだけ大きく取ることが好ましい。このように、重複した表示を行うプロジェクタ同士の間隔をできるだけ大きく取ることにより、例えば、図１４に示すように、プロジェクタＰＪ３の投射が遮られることによってプロジェクタＰＪ３が表示異常の状態となった場合であっても、プロジェクタＰＪ３との間で重複した表示を行うプロジェクタＰＪ１，ＰＪ２によってプロジェクタＰＪ３からの部分画像の欠落を補うことがきる。
【００９９】
これは、実施形態２に係るマルチプロジェクションシステムに特徴の１つでもある。すなわち、従来技術の項で述べた特許文献２に開示された技術における実施形態２のように、スタックされた２台のプロジェクタを一組として動作させるような使い方では、あるプロジェクタの投射が遮られるような状態となった場合は、一組を構成する２台のプロジェクタからの投射がともに遮られてしまうといった問題があるが、本発明の実施形態２に係るマルチプロジェクションシステムではそれを回避することができる。
【０１００】
なお、実施形態２に係るマルチプロジェクションシステムにおいては、表示異常検出や表示異常信号送信は、各プロジェクタが行うのではなく、表示画像監視部３０が行うが、画像表示処理の基本的な流れとしては、図６のフローチャートを用いることができる。
【０１０１】
なお、図６のフローチャートにおいて、あるプロジェクタの前に人などが存在することにより投射が遮られるような状態は、プロジェクタの前に立った人が立ち去ることによって、当該プロジェクタの表示が復旧する可能性がある。このため、実施形態２に係るマルチプロジェクションシステムにおいては、表示異常となったプロジェクタを非表示状態（
ステップＳ１０）としたあと、ステップＳ１に戻って、ステップＳ１以降の処理を行うことが可能となる。
【０１０２】
また、異常検出がなされた後の処理については実施形態１に係るマルチプロジェクションシステムと同様に行うことができるので、ここでは説明を省略する。また、プロジェクタを２次元的な配列とした場合にも前述したと同様に実施可能である。
【０１０３】
なお、本発明は上述の実施形態に限られるものではなく、本発明の要旨を逸脱しない範囲で種々変形実施可能となるものである。例えば、実施形態１及び実施形態２では、表示異常としては、プロジェクタが表示不能、すなわち、スクリーン上で当該プロジェクタからの部分画像全体が欠落した状態となったことを前提とした補正処理について考えたが、スクリーン上で部分画像全体が欠落する状態とならない場合も表示異常に含まれる。例えば、ランプの劣化などにより表示が不安定となった状態や、投射光が完全に遮られるのではなく、前述のように、一部が遮られてスクリーン上で当該プロジェクタによる部分画像が部分的に欠落するような状態なども表示異常であるといえる。
【０１０４】
このように、表示が不安定となった状態や部分画像が部分的に欠落するような状態となった場合、当該プロジェクタを積極的に非表示状態として、表示不能と同等に扱うことも可能である。この場合、非表示状態とされたプロジェクタとの間で重複した表示を行うプロジェクタに対して、表示異常信号を送信し、非表示状態とされたプロジェクタとの間で重複した表示を行うプロジェクタが実施形態１及び実施形態２で説明したと同様の処理を行う。これにより、表示が不安定となった状態や部分画像が部分的に欠落するような表示異常が発生した場合でも、表示画像全体の品質を大きく損なうことなく表示を続行することができ、マルチプロジェクションシステムの信頼性を向上させることができる。
【０１０５】
また、前述の各実施形態では、重み付けパラメータによる接合部の輝度の補正は、表示画像データ変調部１７によって電子的（ソフトウエア的）に行う例であったが、遮光板などにより光学的に行うことも可能であり、また、両者を併用することも可能である。
【０１０６】
また、表示異常の検出、表示異常信号の送信、表示異常信号の受信、表示パラメータの選択、表示パラメータの記憶などの機能のうちのすべて又は一部の機能を、プロジェクタが接続される情報処理機器（パーソナルコンピュータなど）に持たせることも可能である。
また、画像表示処理部１０は、前述の各実施形態では、プロジェクタＰＪ１，ＰＪ２，・・・それぞれが有するような構成であったが、これに限られるものではなく、プロジェクタが接続される情報処理装置（パーソナルコンピュータなど）が有するような構成としてもよい。
【０１０７】
また、前述の各実施形態では、Ｍ台（Ｍは２以上の整数）のプロジェクタからの部分画像を構成する領域のいずれの領域においても２台以上のプロジェクタが当該領域に対して重複した表示を行うようにさらにＮ台（Ｎは１以上の整数）のプロジェクタを配置する構成において、図１の例では、Ｍ＝２、Ｎ＝３とし、また、図８の例では、Ｍ＝４、Ｎ＝９とした例について説明したが、部分画像を構成する領域のいずれの領域においても２台以上のプロジェクタが当該領域に対して重複した表示を行うようにするには、このような表示の仕方に限られるものではない。
【０１０８】
例えば、仮に、２台（Ｍ＝２）のプロジェクタからの部分画像にそれぞれ対応するようにそれぞれの部分画像の投射が可能な２台（Ｎ＝２）のプロジェクタを配置するような構成としてもよい。また、同様に、２台（Ｍ＝２）のプロジェクタからの部分画像を包含するような１つの部分画像の投射が可能な１台（Ｎ＝１）のプロジェクタを配置するといっ
た構成とすることも可能である。
【図面の簡単な説明】
【０１０９】
【図１】実施形態１に係るマルチプロジェクションシステムにおけるプロジェクタの配置例を説明する図。
【図２】図１に示すようなプロジェクタの配置手順について説明する図である。
【図３】実施形態１に係るマルチプロジェクションシステムにおいて使用する重み付けのパラメータに対応する重み付けパターンを模式的に示す図。
【図４】実施形態１に係るマルチプロジェクションシステムを構成する複数のプロジェクタのうちのあるプロジェクタの表示動作が不能となった状態を示す図。
【図５】実施形態１に係るマルチプロジェクションシステムを構成する複数のプロジェクタのうちのあるプロジェクタに表示不能が発生した場合の重み付けパターンの変更例を説明する図。
【図６】実施形態１に係るマルチプロジェクションシステムにおける画像表示処理の流れを示すフローチャート。
【図７】実施形態１に係るマルチプロジェクションシステムに用いられるプロジェクタの構成を示す図。
【図８】複数のプロジェクタを２次元配列として表示を行う例について説明する図。
【図９】図８に示すように配置された複数のプロジェクタの各プロジェクタからの部分画像に対応する重み付けパターンを示す図。
【図１０】図９の重み付けパターンに対応する重み付けパラメータを用いて各プロジェクタが投射を行った場合の表示状態を示す図。
【図１１】図８に示すように配置された複数のプロジェクタのうちのあるプロジェクタが表示不能となった場合の表示状態を示す図。
【図１２】図１０に示すような表示状態においてプロジェクタＰＪ９が表示不能となった場合に用いられる重み付けパターンを示す図。
【図１３】図１０に示すような表示状態においてプロジェクタＰＪ３が表示不能となった場合に用いられる重み付けパターンの例を示す図である。
【図１４】実施形態２に係るマルチプロジェクションシステムの構成を概略的に示す図。
【図１５】実施形態２に係るマルチプロジェクションシステムに用いられるプロジェクタと表示画像監視部の構成を示す図。
【図１６】時分割で画像表示を行う例を説明する図。
【符号の説明】
【０１１０】
１０・・・画像表示処理部、１１，３２・・・表示異常検出部、１２，３３・・・表示異常信号送信部、１３・・・表示異常信号受信部、１４・・・表示パラメータ記憶部、１５・・・表示パラメータ選択部、１６・・・表示画像データ入力部、１７・・・表示画像データ変調部、３０・・・表示画像監視部、３１．・・・撮像装置、１０４・・・表示画像データ入力部、１０５・・・表示画像データ変調部、Ａ・・・有効画像表示領域、Ｇ１〜Ｇ１３・・・部分画像、ＰＪ１〜ＰＪ５・・・プロジェクタ、ＷＰ１〜ＷＰ８，ＷＰ１１〜ＷＰ３１・・・重み付けパターン
【図２】
2007334181.tif 000003
【図６】
2007334181.tif 000004
【図７】
2007334181.tif 000005
【図８】
2007334181.tif 000006
【図１５】
2007334181.tif 000007
【図１６】
2007334181.tif 000008
【図１】
2007334181.tif 000009
【図３】
2007334181.tif 000010
【図４】
2007334181.tif 000011
【図５】
2007334181.tif 000012
【図９】
2007334181.tif 000013
【図１０】
2007334181.tif 000014
【図１１】
2007334181.tif 000015
【図１２】
2007334181.tif 000016
【図１３】
2007334181.tif 000017
【図１４】
2007334181.tif 000018